(57)【特許請求の範囲】
【請求項１】
上側のコンクリート側塊の内壁面の全部または一部が錐体状の傾斜面となっている積層されたコンクリート側塊の内側に、接合部を跨ぐように固定させる地震対応目地継ぎ手であって、
引っ張り強度の強い合成樹脂で成形された可撓シートを基材として下側のコンクリート側塊の内周に対応する筒状目地継ぎ手本体が形成され、前記筒状目地継ぎ手本体の胴部の中央には、軸方向に展開可能な折り畳み部が周方向に形成され、折り畳み部の両側の胴部分の外周面にはコンクリート側塊接着面が設けられ、該コンクリート側塊接着面には合成繊維シートが溶着され、
さらに、前記筒状目地継ぎ手本体における前記折り畳み部の一側の胴部分の外壁面が前記上側のコンクリート側塊の錐体状の傾斜面に対応する錐体状の傾斜面に形成されており、
前記上側のコンクリート側塊の錐体状の傾斜面に対応する錐体状の傾斜面に形成された前記一側の胴部分の外壁面は、前記一側の胴部分に周方向に沿って適宜間隔で且つ適宜角度の略三角形に折り畳まれる縮径用折り畳み部を設けて前記一側の胴部分の開口部が縮径されて形成されたものであることを特徴とする地震対応目地継ぎ手。
【発明の詳細な説明】
【技術分野】
【０００１】
本発明は、積層されたコンクリート側塊の内側に、接合部を跨ぐように固定させる地震対応目地継ぎ手に関する。
【背景技術】
【０００２】
過去に発生した大きな地震において、下水道施設は甚大な被害を被り、市民生活に与えた影響は深刻なものであった。そのなかで、コンクリート側塊を積層して構築された下水道用の人孔にあっては、コンクリート側塊の接合部がずれるといった被害が多くみられ、接合部のずれから土砂や水が人孔内に流入し、下水道の機能が損なわれるといった事態が発生した。
【０００３】
このため、地震により人孔のコンクリート側塊の接合部がずれたとき、接合部のずれから人孔内への土砂や水の流入を防ぐ手立てが求められており、そのための手段として、積層されたコンクリート側塊の接合部の内側に、内側の上下に内部シール材を設けたゴム製保護カラーを当接して、圧接治具によりゴム製保護カラーをコンクリート側塊に圧接させる手段が提案されている（例えば、特許文献１参照。）。
【０００４】
この特許文献１参照に記載された手段によれば、地震により人孔のコンクリート側塊の接合部がずれたとき、このずれに応じてコンクリート側塊の接合部の内側に圧接されているゴム製保護カラーが伸びて接合部を塞いだ状態を保持し、接合部のずれから人孔内への土砂や水の流入を防ぐことができるものとなっている。
【先行技術文献】
【特許文献】
【０００５】
【特許文献１】特開２０００−２９１０３４号公報
【発明の概要】
【発明が解決しようとする課題】
【０００６】
しかしながら、この特許文献１に記載された手段によれば、接合部のずれから人孔内へ流入する土砂や水の流入圧がゴム製保護カラーのゴムの伸び限界を超えると、ゴム製保護カラーが破断してしまうことになる。このため、土砂や水の流入圧を大きく予想した場合、この流入圧に耐えるためには、ゴム製保護カラーを厚く設定しなければならず、ゴム製保護カラーを厚くすると、その分、ゴム製保護カラーをコンクリート側塊に圧接させる作業が困難となり、コストアップにもなるといった問題があった。
また、人孔にあっては、一般に最上側のコンクリート側塊は、その内壁面の全部または一部が円錐や角錐といった錐体状の傾斜面となっているが、特許文献１参照に記載された手段では、このような内壁面の全部または一部が錐体状の傾斜面となっているコンクリート側塊の積層は考慮されておらず対応できないといった問題があった。
【０００７】
本発明の目的は、地震による人孔のコンクリート側塊の接合部のずれに追随して容易に変形するとともに、土砂や水の流入圧に耐えることができ、取り扱いが容易であり作業性がよく、且つ積層されたコンクリート側塊の上側のコンクリート側塊の内壁面の全部または一部が錐体状の傾斜面となっている人孔に対応した地震対応目地継ぎ手を提供することにある。
【課題を解決するための手段】
【０００８】
上記の目的を達成するために、請求項１に記載の発明は、上側のコンクリート側塊の内壁面の全部または一部が錐体状の傾斜面となっている積層されたコンクリート側塊の内側に、接合部を跨ぐように固定させる地震対応目地継ぎ手であって、引っ張り強度の強い合成樹脂で成形された可撓シートを基材として下側のコンクリート側塊の内周に対応する筒状目地継ぎ手本体が形成され、前記筒状目地継ぎ手本体の胴部の中央には、軸方向に展開可能な折り畳み部が周方向に形成され、折り畳み部の両側の胴部分の外周面にはコンクリート側塊接着面が設けられ、該コンクリート側塊接着面には合成繊維シートが溶着され、さらに、前記筒状目地継ぎ手本体における前記折り畳み部の一側の胴部分の外壁面が前記上側のコンクリート側塊の錐体状の傾斜面に対応する錐体状の傾斜面に形成されており、前記上側のコンクリート側塊の錐体状の傾斜面に対応する錐体状の傾斜面に形成された前記一側の胴部分の外壁面は、前記一側の胴部分に周方向に沿って適宜間隔で且つ適宜角度の略三角形に折り畳まれる縮径用折り畳み部を設けて前記一側の胴部分の開口部が縮径されて形成されたものであることを特徴とする。
【発明の効果】
【００１０】
請求項１に記載の地震対応目地継ぎ手によれば、前記筒状目地継ぎ手本体を、折り畳み部が折り畳まれた状態で、且つ外壁面が錐体状の傾斜面に形成されている前記一側の胴部分を上向きとして、上側のコンクリート側塊の内壁面の全部または一部が錐体状の傾斜面となっている積層されたコンクリート側塊の内側に前記接合部を跨ぐように配置し、前記一側の胴部分の外周面に設けられた合成繊維シートが溶着されているコンクリート側塊接着面を上側のコンクリート側塊の内側に接着し、他側の胴部分の外周面に設けられた合成繊維シートが溶着されているコンクリート側塊接着面を下側のコンクリート側塊の内側に接着することにより、上側のコンクリート側塊の内壁面の全部または一部が錐体状の傾斜面となっている積層されたコンクリート側塊の内側の接合部に容易に且つ確実に固定することができる。
【００１１】
そして、地震により人孔のコンクリート側塊の接合部がずれれたとき、そのずれ方向が上下方向即ち縦方向、横方向、回転方向のいずれであっても、前記筒状目地継ぎ手本体は、胴部中央に形成されている折り畳み部の展開と撓みにより、コンクリート側塊の接合部のずれに追随して変形することがき、人孔のコンクリート側塊の接合部のずれから人孔内への土砂や水の流入を防ぐ機能を維持することができる。
【００１２】
そして、前記筒状目地継ぎ手本体は引っ張り強度の強い合成樹脂で成形された可撓シートを基材としているので、従来のゴム製に比べ薄く形成することができるから、人孔内部空間の狭窄が防げられ、また軽量化が図れ、取り扱いが容易となり、コンクリート側塊への固定作業が容易に行え、またコストの低減化を図ることができる。
【００１３】
また、前記筒状目地継ぎ手本体における折り畳み部の両側にあるコンクリート側塊接着面には合成繊維シートが溶着されているので、接着剤により前記筒状目地継ぎ手本体のコンクリート側塊接着面をコンクリート側塊に接着したとき、合成繊維シートの繊維がアンカーとなって、前記筒状目地継ぎ手本体のコンクリート側塊接着面をコンクリート側塊に強固に固定することができる。
【００１４】
さらに、前記上側のコンクリート側塊の錐体状の傾斜面に対応する錐体状の傾斜面に形成された前記一側の胴部分の外壁面は、前記一側の胴部分に周方向に沿って適宜間隔で且つ適宜角度の略三角形に折り畳まれる縮径用折り畳み部を設けて前記一側の胴部分の開口部が縮径されて形成されたものであるので、前記一側の胴部分の外壁面を、前記上側のコンクリート側塊の錐体状の傾斜面に対応する錐体状の傾斜面に簡単な作業で容易に形成することができる。
【図面の簡単な説明】
【００１５】
【図１】本発明に係る地震対応目地継ぎ手の実施の形態の第１例を示す一部切り欠き中間省略正面図である。
【図２】筒状目地継ぎ手本体に形成された折り畳み部の折り畳み形状の他例を示す一部切り欠き中間省略正面図である。
【図３】筒状目地継ぎ手本体における折り畳み部の一側の胴部分の外壁面を錐体状の傾斜面に形成した構造を示す説明図である。
【図４】図１の地震対応目地継ぎ手を人孔のコンクリート側塊の接合部に固定した状態を示す中間省略縦断面図である。
【図５】本発明に係る地震対応目地継ぎ手の実施の形態の第２例を示す一部切り欠き中間省略正面図である。
【発明を実施するための形態】
【００１６】
以下、本発明に係る地震対応目地継ぎ手を実施するための形態を詳細に説明する。
図１は本発明に係る地震対応目地継ぎ手の実施の形態の第１例を示す一部切り欠き中間省略正面図、図２は筒状目地継ぎ手本体に形成された折り畳み部の折り畳み形状の他例を示す一部切り欠き中間省略正面図、図３は筒状目地継ぎ手本体における折り畳み部の一側の胴部分の外壁面を錐体状の傾斜面に形成した構造を示す説明図である。
【００１７】
本例は、上側のコンクリート側塊の内壁面の全部が円錐の錐体状の傾斜面となっている積層されたコンクリート側塊に対応した地震対応目地継ぎ手１であって、引っ張り強度が強く、耐水性・耐薬品性のある合成樹脂で成形された可撓シートを基材として、積層したコンクリート側塊の内周に対応する筒状目地継ぎ手本体２が形成され、筒状目地継ぎ手本体２の胴部の中央には、軸方向に展開可能な折り畳み部３が周方向に形成されている。そして、折り畳み部３の両側の胴部分２ａ、２ｂの外周面にコンクリート側塊接着面４が設けられ、このコンクリート側塊接着面４には合成繊維シート５が溶着された構成となっている。
【００１８】
さらに詳細には、筒状目地継ぎ手本体２の基材となる可撓シートを成形する合成樹脂として、本例ではポリプロピレン、ポリエチレン、ポリ塩化ビニル等が使用される。この基材は平坦な表面を有し、その厚さは、人孔のコンクリート側塊の接合部がずれたとき、このずれにより人孔内に流入する土砂や水の予想流入圧に対応できる厚さに設定されている。
【００１９】
また、筒状目地継ぎ手本体２の胴部の中央に形成された折り畳み部３は、本例では、胴部の内側に向かって胴部の中央部が下縁部側に折り返された後、上縁側に折り返されて形成されている。
この折り畳み部３の折り返し量は、折り畳まれた状態にある折り畳み部３が展開したとき、後述する人孔のコンクリート側塊の接合部のずれに追随できる量として設定されている。
従って、折り畳み部３の折り畳み形状は、人孔のコンクリート側塊の接合部のずれに追随できる量が確保できる限り、前記の形状に限られるものではなく、例えば、図２に示すように折り畳み部３が胴部の内側に向かって胴部の中央部が上下縁部側に折り返された後、さらに中央側に折り返されたものでもよい。
【００２０】
また、折り畳み部３の両側にある胴部分２ａ、２ｂの外周面に設けられたコンクリート側塊接着面４に溶着された合成繊維シート５は、本例ではポリプロピレン、ポリエチレン、ポリスチレン、ポリ塩化ビニル等の繊維が使用され、また、合成繊維シート５は、織布、不織布の何れであってもよい。
なお、本例では、前記合成繊維シート５は、折り畳み部３の両側の胴部分２ａ、２ｂの外周面に設けられたコンクリート側塊接着面４に溶着されているが、筒状目地継ぎ手本体２の胴部外周全面に溶着されていてもよい（図示せず。）。
【００２１】
さらに、筒状目地継ぎ手本体２における折り畳み部３の一側の胴部分２ａ、本例では上側の胴部分２ａの外壁面６が上側のコンクリート側塊の錐体状の傾斜面に対応する錐体状の傾斜面に形成されている。
【００２２】
このように構成される地震対応目地継ぎ手１は次のようにして製造される。
先ず、筒状目地継ぎ手本体２の胴部幅となる所定幅の帯状の基材を、コンクリート側塊の内周に対応する長さに切断し、筒状目地継ぎ手本体２の外周面となる面で、基材の中央に形成する折り畳み部３の両側の胴部分２ａ，２ｂに設けられたコンクリート側塊接着面４となる面に、長さ方向一端部に溶着部位を残して合成繊維シート５を溶着する。
【００２３】
次に、合成繊維シート５を溶着した基材の中央に、筒状目地継ぎ手本体２の外周面となる基材の面側に向かって基材の中央部を下縁部側に折り返した後、上側に折り返して折り畳み、加熱プレスして折り畳み部３を形成する。
または、射出成型用金型を用いて、中央に折り畳み部３を形成した基材を成形することもできる。
このようにして、折り畳み部３を形成した基材を、合成繊維シート５を溶着した面側が外面となるように、その一端部の溶着部位に他端部を重ねて溶着することにより円筒状体とし、筒状目地継ぎ手本体２を形成する。
【００２４】
次ぎに、上記のようにして形成した筒状目地継ぎ手本体２における折り畳み部３の一側の胴部分２ａ、本例では上側となる一側の胴部分２ａを、図３に示すように、円周方向に沿って適宜間隔で且つ適宜角度の略三角形に折り返して折り畳んで縮径用折り畳み部７を設けて一側の胴部分２ａの開口部を縮径させ、一側の胴部分２ａの外壁面６が上側のコンクリート側塊の錐体状の傾斜面に対応する錐体状の傾斜面となるように形成する。
前記一側の胴部分２ａに設けた縮径用折り畳み部７は、胴部分２ａを略三角形に折り返し加熱プレスして折り畳み、溶着して固定している。
このようにして本例の地震対応目地継ぎ手１が製造されるが、この製造に限定されない。
【００２５】
このように構成された本例の地震対応目地継ぎ手１を人孔の地震対応に使用する使用例を図４により説明する。図４は図１の地震対応目地継ぎ手を人孔のコンクリート側塊の接合部に固定した状態を示す中間省略縦断面図である。
【００２６】
先ず、筒状目地継ぎ手本体２を、折り畳み部３が折り畳まれた状態で、且つ外壁面６が錐体状の傾斜面に形成されている一側の胴部分２ａを上向きとして、人孔８の積層された上側のコンクリート側塊９ａの内壁面が錐体状の傾斜面となっているコンクリート側塊９ａ、９ｂの内側に、目地部１０を介在して接合するコンクリート側塊９ａ、９ｂの接合部１１を跨ぐように配置する。
【００２７】
次ぎに、一側の胴部分２ａの外周面に設けられた合成繊維シート５が溶着されているコンクリート側塊接着面４を上側のコンクリート側塊９ａの内側に接着剤で接着し、他側の胴部分２ｂの外周面に設けられた合成繊維シート５が溶着されているコンクリート側塊接着面４を下側のコンクリート側塊９ｂの内側に接着剤で接着し固定する。
【００２８】
このとき、筒状目地継ぎ手本体２における折り畳み部の両側にある胴部分２ａ、２ｂの外周面に設けられたコンクリート側塊接着面４には合成繊維シート５が溶着されているので、接着剤により筒状目地継ぎ手本体２のコンクリート側塊接着面４をコンクリート側塊９ａ，９ｂに接着したとき、合成繊維シート５の繊維がアンカーとなって、筒状目地継ぎ手本体２のコンクリート側塊接着面４をコンクリート側塊９ａ，９ｂに強固に固定することができる。
これにより、地震対応目地継ぎ手１を上側のコンクリート側塊９ａの内壁面が錐体状の傾斜面となっている積層されたコンクリート側塊９ａ、９ｂの内側の接合部１１に容易に且つ確実に固定することができる。
【００２９】
このようにして、本例の地震対応目地継ぎ手１をコンクリート側塊９ａ、９ｂの内側に固定することにより、地震により人孔８のコンクリート側塊９ａ、９ｂの接合部１１がずれたとき、そのずれ方向が上下方向即ち縦方向、横方向、回転方向のいずれであっても、筒状目地継ぎ手本体２は、胴部中央に形成されている折り畳み部３の展開と撓みにより、コンクリート側塊９ａ、９ｂの接合部１１のずれに追随して変形することがき、コンクリート側塊９ａ、９ｂの接合部１１のずれから人孔８内への土砂や水の流入を防ぐ機能を維持することができる。
【００３０】
そして、筒状目地継ぎ手本体２は引っ張り強度の強い合成樹脂で成形された可撓シートを基材としているので、従来のゴム製に比べ遙かに薄くても土砂や水の流入圧に耐えることができ、筒状目地継ぎ手本体２をゴム製に比べ薄く形成することができる。
【００３１】
図５は本発明に係る地震対応目地継ぎ手の実施の形態の第２例を示す一部切り欠き中間省略正面図である。
本例は、上側のコンクリート側塊の内壁面の一部が円錐の錐体状の傾斜面となっている積層されたコンクリート側塊に対応した地震対応目地継ぎ手１であって、本例の地震対応目地継ぎ手１は、前記第１例と基本構成において変わるところがなく、第１例と同一の構成については同一の符号を付して説明する。
【００３２】
本例では、筒状目地継ぎ手本体２における折り畳み部３の一側の胴部分２ａ、本例では上側となる一側の胴部２ａの外壁面６が、上側のコンクリート側塊の錐体状の傾斜面に対応する錐体状の傾斜面となるように形成されている。
その他の構成は第１例と同一の構成なので、第１例の説明を援用し、その説明を省略する。また、作用効果も第１例と同一の構成なので、第１例の説明を援用し、その説明を省略する。
【００３３】
なお、前記第１例、第２例は、いずれも上側のコンクリート側塊の内壁面の全部又は一部が円錐の錐体状の傾斜面となっている積層されたコンクリート側塊に対応した地震対応目地継ぎ手であるが、本発明にかかる地震対応目地継ぎ手は上側のコンクリート側塊の内壁面の全部又は一部が角錐の錐体状の傾斜面となっている積層されたコンクリート側塊にも対応できる。
この場合の地震対応目地継ぎ手は、図示しないが、前記第１例、第２例に示す円筒状の筒状目地継ぎ手本体２を角筒状に設計変更するだけで済む。
【００３４】
また、図示していないが、前記第１例、第２例にあって、筒状目地継ぎ手本体２の折り畳み部３に、筒状目地継ぎ手本体２を形成する基材となる可撓シートよりも破断強度の弱い放水用弱化部を設けておくこともできる。
放水用弱化部は筒状目地継ぎ手本体２の折り畳み部３の一部に薄肉部を形成し、この薄肉部を放水用弱化部としてもよく、または折り畳み部３の一部を開口し、開口部に可撓シートよりも破断強度の弱い可撓シートを溶着して、該部を放水用弱化部としてもよい。
また、放水用弱化部にあっては、その破断強度は筒状目地継ぎ手本体２を形成する基材となる可撓シートよりも僅かに弱い程度であることが好ましい。
このように、筒状目地継ぎ手本体２の折り畳み部３に、筒状目地継ぎ手本体２を形成する基材となる可撓シートよりも破断強度の弱い放水用弱化部を設けておくことにより、コンクリート側塊９ａ、９ｂの接合部１１のずれから人孔８内へ流入した水の水圧が折り畳み部３に、筒状目地継ぎ手本体２を形成する基材となる可撓シートの破断強度を超えるような水圧となって掛かった場合、折り畳み部３に設けた放水用弱化部が破断して人孔８内へ流入した水が折り畳み部３から放水され、水圧による折り畳み部３の破断を防止できる。
【符号の説明】
【００３５】
１  地震対応目地継ぎ手
２  筒状目地継ぎ手本体
２ａ  一側（上側）の胴部分
２ｂ  他側（下側）の胴部分
３  折り畳み部
４  コンクリート側塊接着面
５  合成繊維シート
６  外壁面
７  縮径用折り畳み部
８  人孔
９ａ、９ｂ  コンクリート側塊
１０  目地部
１１  接合部
【図１】
0005728401.tif 000002
【図２】
0005728401.tif 000003
【図３】
0005728401.tif 000004
【図４】
0005728401.tif 000005
【図５】
0005728401.tif 000006